(57)【要約】【課題】テストターミナルにおいて、保護リレーの動作点検時に両端子部材間を非導通にするために短絡片を係止部間に保持した後で、短絡片を導電係止部間に戻す操作を失念することを防止して、遮断器不作動による事故の拡大を防止する。【解決手段】保護リレーと遮断器との間の電路に介挿されて該電路を断接するテストターミナル１であって、保護リレーと電気的に接続されベース面から夫々突設された第１及び第２の端子部材１０、２０と、各端子部材に設けた第１及び第２の導電係止部１１、２１間に着脱されて両者間を導通・非導通状態に切り替える短絡片３０と、端子部材の先端部側に夫々設けられて短絡片を着脱自在に保持する先端寄り係止部１２、２２、１３、２３と、端子カバー４０と、を備え、端子カバーは、先端寄り係止部間に短絡片が係止している状態で端子カバーを被せた時に、短絡片と干渉して完全な装着を阻止する干渉片４５を備えている。【選択図】図３
2011234548.tif 000002
【特許請求の範囲】
【請求項１】
電力系統で発生した事故を検出して遮断信号を出力する保護リレーと、該保護リレーからの遮断信号を受けて事故区間を前記電力系統から一旦切り離すために作動する遮断器と、の間の電路に介挿されて該電路を断接するテストターミナルであって、
前記保護リレーと電気的に接続されベース面から突設された第１の端子部材と、該第１の端子部材とは非導通状態で前記ベース面上に該第１の端子部材と並行して突設され且つ前記遮断器と電気的に接続された第２の端子部材と、該第１及び第２の端子部材に夫々設けた第１及び第２の導電係止部間に着脱されて両端子部材間を導通・非導通状態に切り替える短絡片と、前記導電係止部よりも前記第１及び第２の端子部材の先端部側に夫々設けられて前記短絡片を着脱自在に保持する先端寄り係止部と、底面に開口を備え該開口側から前記第１及び第２の端子部材の先端部側から被せて底縁を前記ベース面に近接させることにより該第１及び第２の端子部材、及び前記短絡片を内部に収容した状態で装着完了する端子カバーと、を備え、
前記端子カバーは、前記先端寄り係止部間に前記短絡片が係止している状態で前記端子カバーを被せた時に、該短絡片と干渉して完全な装着を阻止する干渉片を備えていることを特徴とするテストターミナル。
【請求項２】
前記干渉片は、前記端子カバーの頂面の少なくとも一部を前記第１及び第２の端子部材間の空間に向けて突設させた凹陥部であることを特徴とする請求項１に記載のテストターミナル。
【請求項３】
前記干渉片は、前記端子カバーの頂面から前記第１及び第２の端子部材間の空間に向けて突設させた干渉部材であることを特徴とする請求項１に記載のテストターミナル。
【発明の詳細な説明】
【技術分野】
【０００１】
本発明は電力系統で発生した事故を検出する保護リレーと、事故区間を遮断する遮断器との間の電路に配置されて該電路を断接するテストターミナルの改良に関し、特にテストターミナルを構成する端子部材を保護する端子カバーの改良に関するものである。
【背景技術】
【０００２】
発電所、変電所等には、図６に示すように電力系統で発生した事故を検出して遮断信号を出力する保護リレー１００と、保護リレー１００からの遮断信号を受けて作動し事故区間を電力系統から一旦切り離したり事故復旧時に接続を回復させて元の系統に戻す遮断器１１０と、保護リレー１００と遮断器１１０との間の電路に介挿されて該電路を断接するテストターミナル１２０と、から成る事故検出システムが装備されている。
このシステムでは、事故が発生したときには遮断器１１０が事故区間を系統から一旦切り離し、事故が解消した後には別の回路によって再度遮断器を投入して通常の系統に戻すという操作が実施される。
テストターミナル１２０は、保護リレー１００と電気的に接続された第１の端子部材１３０と、第１の端子部材とは非導通状態で離間配置され且つ遮断器と電気的に接続された第２の端子部材１４０と、第１及び第２の端子部材間に着脱されて両端子部材間を導通・非導通状態に切り替える短絡片１５０と、を備えている。
【０００３】
ところで、保護リレーは数年に一度程度その作動状態の良否を点検することが義務付けられており、点検のための試験では保護リレー１００に事故を模擬した信号を流してリレーが正常に作動するか否かを確認する必要がある。一方、試験のために遮断器を作動させて電力系統を停電させることは許されない。そこで、テストターミナル１２０を一時的にオフ（断）の状態にすることにより、保護リレーに事故を模擬した信号を流したとしても、保護リレーは作動するが、遮断器は切れないという状態を作出すことができる。
【０００４】
次に、図７は従来のテストターミナルの具体的な構成を示す側部縦断面図であり、テストターミナル１２０は、絶縁材料からなるベース面１２１から突設され且つ保護リレーと電気的に接続された第１の端子部材１３０、第１の端子部材１３０とは非導通状態でベース面上に第１の端子部材と並行して突設され且つ遮断器と電気的に接続された第２の端子部材１４０と、第１及び第２の端子部材１３０、１４０に夫々設けた第１及び第２の導電係止部１３１、１４１間に着脱されて両端子部材間を導通・非導通状態に切り替える短絡片１５０と、両端子部材に被せられることによりこれらを収容する端子カバー１６０と、を有する。なお、第１及び第２の端子部材は、各導電係止部１３１、１４１よりも第１及び第２の端子部材の先端部側部位に短絡片１５０を着脱自在に保持する第１及び第２の非導電係止部１３２、１４２を有する。
短絡片１５０は、図中に示すように両端部に係止用の凹所１５１ａを有した導電板１５１の中央部にツマミ部となる絶縁部１５２を一体化した構成を備えている。
図７に示すように短絡片１５０を導電係止部１３１、１４１間にまたがって接続した状態にした場合には保護リレーからの遮断信号が遮断器に送信され、短絡片を導電係止部から離脱させた場合には保護リレーからの信号は遮断器には伝達されない。第１及び第２の非導電係止部１３２、１４２は、導電係止部間を接続していないときの短絡片１５０を紛失することを防止する等のために一時的に配置するための部位であり、破線で示すように非導電係止部間に短絡片を配置した場合には電気的に特別な機能を発揮するわけではない。
【０００５】
ところで、第１及び第２の導電係止部１３１、１４１間を非導通にしつつ、短絡片１５０を導電係止部１３２、１４２間に保持した状態で保護リレーの動作点検を行った後で、短絡片を導電係止部間に再接続するのを忘れて通常の運用に移行すると、事故の発生により保護リレーが作動するにも拘わらず、遮断器が切れずに事故が拡大するという事態が想定される。
特許文献１（特開２００６−０８１３７０公報）にはテストターミナルにおける操作禁止表示用ユニットが開示されているが、テストターミナルに係る上記不具合と、これを解決する手段については一切開示されていない。
特許文献２、３（特開２００７−１７１７５０公報、特開２００９−２９６８２７公報）についても同様である。
【先行技術文献】
【特許文献】
【０００６】
【特許文献１】特開２００６−０８１３７０公報
【特許文献２】特開２００７−１７１７５０公報
【特許文献３】特開２００９−２９６８２７公報
【発明の概要】
【発明が解決しようとする課題】
【０００７】
本発明は上記に鑑みてなされたものであり、２個の端子部材と、各端子部材間を導通させたり、非導通にするために着脱される短絡片と、これらを収容する端子カバーと、を備えたテストターミナルにおいて、保護リレーの動作点検時に両端子部材間を非導通にするために短絡片を各端子部材の先端寄りに位置する非導電係止部間に保持した後で、短絡片を導電係止部間に戻す操作を失念することにより発生する遮断器不作動による事故の拡大を防止することを目的としている。
【課題を解決するための手段】
【０００８】
上記目的を達成するため、請求項１の発明に係るテストターミナルは、電力系統で発生した事故を検出して遮断信号を出力する保護リレーと、該保護リレーからの遮断信号を受けて事故区間を前記電力系統から一旦切り離すために作動する遮断器と、の間の電路に介挿されて該電路を断接するテストターミナルであって、前記保護リレーと電気的に接続されベース面から突設された第１の端子部材と、該第１の端子部材とは非導通状態で前記ベース面上に該第１の端子部材と並行して突設され且つ前記遮断器と電気的に接続された第２の端子部材と、該第１及び第２の端子部材に夫々設けた第１及び第２の導電係止部間に着脱されて両端子部材間を導通・非導通状態に切り替える短絡片と、前記導電係止部よりも前記第１及び第２の端子部材の先端部側に夫々設けられて前記短絡片を着脱自在に保持する先端寄り係止部と、底面に開口を備え該開口側から前記第１及び第２の端子部材の先端部側から被せて底縁を前記ベース面に近接させることにより該第１及び第２の端子部材、及び前記短絡片を内部に収容した状態で装着完了する端子カバーと、を備え、前記端子カバーは、前記先端寄り係止部間に前記短絡片が係止している状態で前記端子カバーを被せた時に、該短絡片と干渉して完全な装着を阻止する干渉片を備えていることを特徴とする。
請求項２の発明は、前記干渉片は、前記端子カバーの頂面の少なくとも一部を前記第１及び第２の端子部材間の空間に向けて突設させた凹陥部であることを特徴とする。
請求項３の発明は、前記干渉片は、前記端子カバーの頂面から前記第１及び第２の端子部材間の空間に向けて突設させた干渉部材であることを特徴とする。
【発明の効果】
【０００９】
以上のように本発明によれば、２個の端子部材と、各端子部材間を導通させたり非導通にするために着脱される短絡片と、これらを収容する端子カバーと、を備えたテストターミナルにおいて、保護リレーの動作点検時に両端子部材間を非導通にするために短絡片を各端子部材の先端寄りに位置する係止部間に保持した後で、短絡片を導電係止部間に戻す操作を失念することを防止して、遮断器不作動による事故の拡大を防止することができる。
【図面の簡単な説明】
【００１０】
【図１】本発明の一実施形態に係るテストターミナルを備えた自動復旧装置の外観図である。
【図２】テストターミナルの拡大図である。
【図３】（ａ）及び（ｂ）はこのテストターミナルの縦断面図、及び端子カバーの外観斜視図である。
【図４】（ａ）及び（ｂ）は本発明の他の実施形態に係る端子カバー、及び端子カバーを装着したテストターミナルの断面図である。
【図５】（ａ）及び（ｂ）は他の実施形態に係る端子カバーの構成を示す斜視断面図、及び縦断面図である。
【図６】保護リレーとテストターミナルとの関係を説明するためのブロック図である。
【図７】従来のテストターミナルの具体的な構成を示す側部縦断面図である。
【発明を実施するための形態】
【００１１】
以下、本発明を図面に示した実施形態に基づいて詳細に説明する。
図１は本発明の一実施形態に係るテストターミナルを備えた自動復旧装置の外観図、図２はこのテストターミナルの拡大図、図３（ａ）及び（ｂ）はこのテストターミナルの縦断面図、及び端子カバーの外観斜視図である。なお、図６を併せて参照しつつ説明する。
【００１２】
テストターミナル１は、電力系統で発生した事故を検出して遮断信号を出力する保護リレー１００と、保護リレーからの遮断信号を受けて事故区間を前記電力系統から一旦切り離すために作動する遮断器との間の電路に介挿されて該電路を断接する手段である。図１では自動復旧装置５０の前面下部（ベース面５１）にテストターミナル１が配置された例を示している。
テストターミナル１は、保護リレー１００と電気的に接続されベース面５１から突設された第１の端子部材１０と、第１の端子部材１０とは非導通状態でベース面上に第１の端子部材と並行して突設され且つ遮断器と電気的に接続された第２の端子部材２０と、第１及び第２の端子部材１０、２０の基端部寄り位置に夫々設けた第１及び第２の導電係止部１１、２１間に着脱されて両端子部材間を導通・非導通状態に切り替える短絡片３０と、各導電係止部１１、２１よりも第１及び第２の端子部材の先端部側に夫々設けられて短絡片３０を着脱自在に保持する第１及び第２の非導電係止部（先端寄り係止部）１２、２２と、底面に開口を備え該開口側から第１及び第２の端子部材の先端部に被せて底縁をベース面に近接させることにより第１及び第２の端子部材、及び短絡片を内部に収容した状態で装着完了する端子カバー４０と、を備えている。
【００１３】
第１及び第２の端子部材１０、２０に符号１５、２５を付した部位は樹脂等の絶縁材料から成る部分である。
端子カバー４０は、絶縁性を有した樹脂材料から構成し、両端子部材を覆うように被せたときに、カバー内壁が両端子部材外面に弾性的に圧接することにより脱落不能に位置決め固定されるように構成されている。
なお、図示したテストターミナル１はスタット形であり、第１及び第２の端子部材１０、２０には、第１及び第２の非導電係止部１２、２２よりも先端寄り位置に夫々地絡事故監視装置を接続するための他の係止部（先端寄り係止部）１３、２３が設けられており、この係止部１３、２３には地絡監視装置の端子がセットされる。
【００１４】
本発明の特徴的な構成は、端子カバー４０に短絡片３０の誤装着を検出する干渉片４５を設けた構成にある。即ち、第１及び第２の非導電係止部１２、２２間、或いは係止部１３、２３間に短絡片３０が係止している状態で端子カバー４０を被せた時に、干渉片４５が短絡片３０と干渉して完全な装着を阻止するように構成している。換言すれば、短絡片３０が第１及び第２の導電係止部１１、２１間に接続されている場合には、端子カバーを被せても干渉片４５が短絡片と干渉しないため、端子カバーの装着が可能となるが、第１及び第２の非導電係止部１２、２２は、第１及び第２の導電係止部１１、２１よりも各端子部材の先端部寄り位置にあるため、第１及び第２の非導電係止部１２、２２により保持された短絡片３０は干渉片４５と干渉し、端子カバーを被せることが不可能となる。
第１及び第２の非導電係止部１２、２２間に短絡片３０が係止している状態で試験を終了して通常の運用に移行した場合には両端子部材間が非導通状態にあるため、電力系統における事故発生により保護リレーが作動したとしても遮断器が動作せずに事故が拡大する虞がある。
【００１５】
本発明では、短絡片３０を第１及び第２の導電係止部１１、２１から取り外した状態での保護リレーの作動点検を行った後で必ず実施される端子カバー４０を被せる作業において、物理的に被せることができない場合には短絡片が誤った位置にセットされていることを確実に知ることができる。このため、端子カバー４０を完全に装着できる場合には、短絡片が第１及び第２の導電係止部１１、２１間にセットされていることが保証されることとなり、安全性を確保することができる。
なお、図３の実施形態に係る端子カバー４０における干渉片４５は、端子カバーの開口４０ａとは反対側の頂部の少なくとも一部を所要長へ凹陥させることにより形成した突部（干渉部材）４５Ａとして構成している。つまり、突部４５Ａは、端子カバーの頂部の少なくとも一部を第１及び第２の端子部材間の空間に向けてへこませることにより、開口へ向けて突出形成されている。
樹脂製の端子カバー４０を成形する際に一括して突部４５Ａを形成することによって干渉片４５を形成することができる。突部４５Ａの端子カバー内部への突出長は、短絡片３０が第１及び第２の導電係止部１１、２１間にセットされている時に端子カバーを装着した時には短絡片３０と干渉することがないために完全装着を許容する一方で、短絡片３０が先端寄りに配置された第１及び第２の非導電係止部１２、２２間にセットされている時に端子カバーを装着しようとした時には短絡片３０と干渉して端子カバーの装着を阻止するように設定されている。
【００１６】
図４（ａ）及び（ｂ）は本発明の他の実施形態に係る端子カバー、及び端子カバーを装着したテストターミナルの断面図である。
この実施形態は、端子カバー４０に設ける干渉片４５を端子カバーの平坦な頂部内面から突設した突片（干渉部材）４５Ｂとした構成が特徴的である。
この突片４５Ｂは、樹脂製の端子カバー４０を成形する際に一体的に成形される樹脂の一部であってもよいし、頂部内面に後付けされる別部材であってもよい。例えば、図４（ａ）に示すように略Ｔ字状の樹脂製の突片４５Ｂを端子カバーの頂部内面に接着等により固定してもよい。
この実施形態の場合には、既存の端子カバー４０に対して後付けにより突片４５Ｂを付加できるので、既存の端子カバーを廃棄することなく再利用できる利点がある。
【００１７】
次に、図５（ａ）及び（ｂ）は本発明の他の実施形態に係る端子カバーの構成を示す斜視図、及び断面図であり、この実施形態に係る端子カバー４０は、対向する２つの内壁間に干渉片４５を差し渡すことによって、短絡片３０が先端寄り係止部１２、２２、１３、２３にセットされている時に端子カバーを装着しようとしたときに干渉片４５と干渉させることによって端子カバーの装着を不可能とするように構成されている。
【００１８】
以上のように本発明のテストターミナルによれば、２個の端子部材１０、２０と、各端子部材間を導通させたり非導通にするために着脱される短絡片３０と、これらを収容する端子カバー４０と、を備えたテストターミナルにおいて、保護リレーの動作点検時に両端子部材間を非導通にするために短絡片を各端子部材の先端寄りに位置する係止部間（先端寄り係止部１２、２２間）に保持した後で、短絡片を導電係止部間に戻す操作を失念することを防止できるので、遮断器不作動による事故の拡大を防止することができる。
【符号の説明】
【００１９】
１…テストターミナル、１０、２０…端子部材、１１、２１…導電係止部、１２、２２…非導電係止部（先端寄り係止部）１３、２３…係止部（先端寄り係止部）、３０…短絡片、４０…端子カバー、４５…干渉片、４５Ａ…突部、４５Ｂ…突片、５０…自動復旧装置、５１…ベース面
【図１】
2011234548.tif 000003
【図２】
2011234548.tif 000004
【図３】
2011234548.tif 000005
【図４】
2011234548.tif 000006
【図５】
2011234548.tif 000007
【図６】
2011234548.tif 000008
【図７】
2011234548.tif 000009